(57)【要約】【課題】  家庭での羽毛布団の保管時に、羽毛布団を容易にかつほぼ均一に圧縮状態として収納し保管することができる羽毛布団収納袋を提供する。【解決手段】  短尺角筒状の胴部シート５の両端部にそれぞれ側面シート６，７を連設してなる略直方体状の袋本体２の胴部シート５部に、ファスナ８により開閉される出し入れ口９を設けた羽毛布団収納袋１において、胴部シート５と側面シート６，７との境界辺１１に対して平行に延び胴部シート５の外側面全周にわたって取付けられた第１ファスナ２１と、第１ファスナ２１と連結可能であって第１ファスナ２１と所定の間隔を隔てて胴部シート５の外側面全周にわたって取付けられた第２ファスナ２２と、を備えた。【選択図】      図１
2008013246.tif 000002
【特許請求の範囲】
【請求項１】
短尺角筒状の胴部シートの両端部にそれぞれ側面シートを連設してなる略直方体状の袋本体の前記胴部シート部に、ファスナにより開閉される出し入れ口を設けた羽毛布団収納袋において、
前記胴部シートと前記側面シートとの境界辺に対して平行に延び前記胴部シートの外側面全周にわたって取付けられた第１ファスナと、
前記第１ファスナと連結可能であって該第１ファスナと所定の間隔を隔てて前記胴部シートの外側面全周にわたって取付けられた第２ファスナと、
を備えたことを特徴とする羽毛布団収納袋。
【発明の詳細な説明】
【技術分野】
【０００１】
この発明は、羽毛布団を収納する布団収納袋に関し、特に羽毛布団の保管に好適な羽毛布団収納袋に関する。
【背景技術】
【０００２】
従来羽毛布団を、店内陳列用，宅配時の搬送用，家庭での不使用期間中の保管用などの各用途に応じて、折り畳んだ状態で収納する収納袋としては、かさばる羽毛布団を収納するために、一般の布団袋のうちでも各辺の長さの差が比較的少ない直方体状の袋本体を有する収納袋が用いられている(たとえば特許文献１，２参照。)。
【特許文献１】特開２０００−１８５７８５号公報(図４，図７)
【特許文献２】特開２００４−４２９７２号公報（図１，図５）
【０００３】
ところが上記の収納袋に収納した状態の羽毛布団は、あまり圧縮された状態ではなくかさばるため、家庭での不使用期間中に羽毛布団を保管するための袋としては不適当であり、この収納状態で圧縮してその上に他の布団等を積み重ねようとしても、均一な圧縮は困難で片寄った圧縮状態となり局部的な偏平部等が発生したりするため、上記の収納袋は上記の家庭での保管用には殆ど利用されていない。またこの収納袋を利用せずに羽毛布団を折り畳んだだけで押入れ等に保管しようとしてもかさばり、他の布団等を積重ねると不均一に圧縮され、安定した状態で押入れ空間内に複数枚の羽毛布団や通常の布団等を収容することが困難であった。
【発明の開示】
【発明が解決しようとする課題】
【０００４】
この発明は上記従来の問題点を解決しようとするもので、家庭での羽毛布団の保管時に、羽毛布団を容易にかつほぼ均一に圧縮状態として収納し保管することができる羽毛布団収納袋を提供することを目的とする。
【課題を解決するための手段】
【０００５】
上記目的を達成するために、この発明の羽毛布団収納袋は、短尺角筒状の胴部シートの両端部にそれぞれ側面シートを連設してなる略直方体状の袋本体の前記胴部シート部に、ファスナにより開閉される出し入れ口を設けた羽毛布団収納袋において、前記胴部シートと前記側面シートとの境界辺に対して平行に延び前記胴部シートの外側面全周にわたって取付けられた第１ファスナと、前記第１ファスナと連結可能であって該第１ファスナと所定の間隔を隔てて前記胴部シートの外側面全周にわたって取付けられた第２ファスナと、を備えたことを特徴とする。
【０００６】
この発明の羽毛布団収納袋は、第１ファスナと第２ファスナの非連結状態において、折り畳んだ羽毛布団をファスナを開けた出し入れ口から袋本体内に収納し、ファスナを閉めれば、通常の布団袋と同様に、羽毛布団の店内陳列用，宅配時の搬送用の収納袋として使用できる。家庭での羽毛布団不使用期間中に羽毛布団を保管する際には、上記の袋本体内に羽毛布団を収納した状態で、第１ファスナと第２ファスナを連結すれば、胴部シート部が第１ファスナと第２ファスナの間隔相当分だけ短縮化され、袋本体内の羽毛布団はほぼ均一に圧縮されて偏平で押入空間内に収容しやすい形状で保管することができる。
【０００７】
また上記の第１ファスナと第２ファスナの連結は、両ファスナを開閉するスライダを胴部シートの外側全周にわたってスライド操作するだけでよいので、上記連結作業（および連結解除作業）は容易におこなうことができる。
【発明の効果】
【０００８】
以上説明したようにこの発明の羽毛布団収納袋によれば、家庭での羽毛布団の保管時に、羽毛布団を容易にかつほぼ均一に圧縮状態として収納し保管することができる。
【発明を実施するための最良の形態】
【０００９】
以下、図１〜図７に示す一例により、この発明の実施の形態を説明する。図１は羽毛布団収納袋１の全体を示す斜視図で、羽毛布団収納袋１は、羽毛布団（図示せず）を収納したとき略直方体状となる袋本体２に取手３を取付けてなり、図２はこの袋本体２部の平面図で、取手３の図示は省略してあり、後述する図５においても、この取手３の図示は省略してある。
【００１０】
袋本体２は、不織布からなる短尺角筒状の胴部シート５の両端部に、不織布からなる側面シート６，７を連設してなり、胴部シート５部には、ファスナ８により開閉される出し入れ口９が、図１における胴部シート５の上面から両側面にわたって設けられている。図１において８ａは、上記ファスナ８開閉操作用のスライダである。また６ａは側面シート６の中央部に設けた透明プラスチックシート製の窓部で、収納品認識用のものある。そして側面シート６，７にはテープ製の取手３，３を取付けてある。
【００１１】
この例では、胴部シート５と側面シート６，７の四周接合部である境界辺１１，１２部は、図３にも示すように両シート縁部の縫合せにより形成されているが、この縫合せ部をテープ状の芯材で補強したり、各シートの材質によっては熱溶着により形成してもよい。また胴部シート５は、１枚のシートを３個所で折曲げ、１個所で縫合せて形成してあるが、４枚のシートを縫合せて形成してもよく、また上記と同様に縫合せ部を補強したり、熱溶着により接合してもよい。
【００１２】
図１〜図３において、２１は第１ファスナで、胴部シート５と側面シート６の境界辺１１に対して平行に延び、胴部シート５の外側面全周にわたって取付けられている。図１において２１ａは第１ファスナ２１の一端部、２１ｂは他端部を示す。また２２は、上記第１ファスナ２１と所定の間隔Ｓを隔てて胴部シート５の外側面全周にわたって取付けられた第２ファスナで、図１において２２ａはこの第２ファスナ２２の一端部、２２ｂは他端部を示し、また２３は第１ファスナ２１と第２ファスナ２２の連結操作用のスライダである。
【００１３】
そして上記の第１ファスナ２１と第２ファスナ２２の非連結状態において、図示しない布団を収納した状態の袋本体２の各部寸法は、この例では長さＬ＝７０ｃｍ，高さＨ＝５０ｃｍ，巾Ｗ＝４３ｃｍとし、第１ファスナ２１と第２ファスナ２２の間隔Ｓ＝２０ｃｍとしてある。なお羽毛布団収納状態においては、袋本体２の６面の各シート面はやや凸面状を呈するものであるが、各図では平面状に図示してある。
【００１４】
上記のように図１〜図３は、第１ファスナ２１と第２ファスナ２２の非連結（連結解除）状態における羽毛布団収納袋１を示すものであるが、次に図４〜図６は、これら両ファスナの連結状態を示す。すなわち、スライダ２３により第１ファスナ２１と第２ファスナ２２の各一端部２１ａ，２２ａを連結後、胴部シート５の全周にわたってスライダ２３を手動によりスライド操作して第１ファスナ２１と第２ファスナ２２を連結状態とすれば、図６に示すように、第１ファスナ２１と第２ファスナ２２間の前記の間隔Ｓ（図１〜３参照）に相当する胴部シート中間部分５ａが袋本体２の内側に折込まれる形となり、袋本体２は、図１の状態の巾Ｗに対して、巾Ｖ＝巾Ｗ−間隔Ｓ、すなわちこの例では巾Ｖが２３ｃｍと短縮化され（長さＬおよび高さＨは図１と同じ）、図示しない羽毛布団を収納した状態で上記の第１ファスナ２１と第２ファスナ２２の連結作業をおこなえば、上記間隔Ｓ分だけ羽毛布団をほぼ均一に圧縮した収納状態とすることができるのである。
【００１５】
なおこの羽毛布団収納状態において上記連結作業をおこなったとき、袋本体２の内側に折込まれる胴部シート中間部分５ａ（図６参照）は、羽毛布団の側面に押付けられつつ変形するため、実際には折目の多い不規則な偏平断面形状を呈するものとなるが、図６ではその断面形状を模式図状に略図示してあり、また袋本体２の６面の各シート面も平面状に図示してある。
【００１６】
次に図７により上記の羽毛布団収納袋１への羽毛布団の収納・圧縮作業をさらに具体的に説明すると、同図に示すように羽毛布団収納袋１を袋本体２の側面シート７部を下側にして床上等に載置し、ファスナ８を開いて出し入れ口９を開放状態とし、この開口サイズに応じた形状に折り畳んだ（この例では横に三つ折り後、縦に三つ折りした）羽毛布団３０を、袋本体２内に収納し、ファスナ８により出し入れ口９を閉じる。なお袋本体２は不織布製であるので、図７における横置き状態で袋本体２はもっと偏平形状に変形するものであるが、図７ではこの変形量が少ない形で略図示してある。
【００１７】
そして上記の横置き状態で、袋本体２の側面シート６（および中に収納された羽毛布団３０）の周辺部を順次手で押下げつつ、前述したスライダ２３の手動操作により第１ファスナ２１と第２ファスナ２２の連結作業を、胴部シート５を一周する形でおこなえば、羽毛布団３０は図７における上下方向に前記間隔Ｓ寸法分だけほぼ均一に（この例では前記上下方向に約１／２の厚さに）圧縮された形で、袋本体２内に圧縮・収納された状態となる。得られたこの圧縮状態の羽毛布団３０入りの羽毛布団収納袋１は、上記の側面シート７を下側にした横置き状態で押入れ等に収容して保管することができ、また偏平形状を呈する圧縮品であるため、他の羽毛布団や毛布などを積重ねても大きな傾斜などを生じることなく安定した状態で保管することができる。また上記の第１ファスナ２１と第２ファスナ２２の連結作業は、スライダ２３のスライド操作により、容易におこなうことができるのである。
【００１８】
なお保管期間が過ぎて羽毛布団を使用する時期が到来したら、上記と逆の手順で羽毛布団の圧縮を解除し、出し入れ口９を開いて袋本体２部から羽毛布団３０を取出せばよい。また図１〜図３に示す第１ファスナ２１と第２ファスナ２２の非連結状態における羽毛布団収納袋１は、従来の収納袋と同様に、羽毛布団の店頭展示用，宅配時の搬送用にも、使用できるものである。
【００１９】
この発明は上記の例に限定されるものではなく、たとえば袋本体２の材質や長さ，巾，高さ等の各部寸法は上記以外のものとしてもよく、また第１ファスナ２１と第２ファスナ２２の間隔寸法Ｓも、収納する羽毛布団の厚さや嵩高の程度などに応じて、適切な圧縮状態となるようにその寸法を選定すればよい。また上記の例では、第１ファスナ２１と第２ファスナ２２の間に出し入れ口９が存在する形としたが、第１ファスナ２１を出し入れ口９よりも側面シート７側に位置させて（必要に応じて第２ファスナ２２も境界辺１２側に寄せて）、第１ファスナ２１と第２ファスナ２２間に出し入れ口９が存在しない形としてもよい。さらに、側面シート６の窓部６ａは省略したり、反対に側面シート全体を透明シートで構成するなどしてもよく、また取手３は、上記の側面シートに取付けたテープ式以外のものとしてもよい。
【図面の簡単な説明】
【００２０】
【図１】この発明の実施の形態の一例を示す羽毛布団収納袋の斜視図である。
【図２】図１の羽毛布団収納袋の袋本体部の平面図である。
【図３】図２のＡ−Ａ線要部拡大断面図である。
【図４】図１の羽毛布団収納袋の第１ファスナと第２ファスナを連結した状態の斜視図である。
【図５】図４の状態の羽毛布団収納袋の袋本体部の平面図である。
【図６】図５のＢ−Ｂ線拡大断面図である。
【図７】図１の羽毛布団収納袋の使用方法を示す斜視図である。
【符号の説明】
【００２１】
１…羽毛布団収納袋、２…袋本体、５…胴部シート、６…側面シート、７…側面シート、８…ファスナ、９…出し入れ口、１１…境界辺、２１…第１ファスナ、２２…第２ファスナ、２３…スライダ。
【図１】
2008013246.tif 000003
【図２】
2008013246.tif 000004
【図３】
2008013246.tif 000005
【図４】
2008013246.tif 000006
【図５】
2008013246.tif 000007
【図６】
2008013246.tif 000008
【図７】
2008013246.tif 000009